(57)【要約】【課題】  和紙繊維の厚薄層化、超薄化、竹簀からの造形部の剥離容易化を実現する和紙漉きによる図柄造形法を提供する。【解決手段】  底部に竹簀１を備える漉き舟２内に、別途漉かれた直後のシート状の湿潤和紙３を平坦なまま収め、この湿潤和紙シートの上もしくは上方に造形図柄を模したテンプレート４を配置し、漉き舟２を収容した漉槽に水スプレー７を散布して、テンプレート４の造形図柄外領域１１を開孔または拡孔もしくは薄層化させる。造形和紙を乾燥させた後、造形和紙図柄の略輪郭部位を水抱筆により水潤状態とし、その水潤状態部位を引き裂き、造形和紙図柄１２を取り出す。【選択図】図１
2019214810.tif 000002
【特許請求の範囲】
【請求項１】
和紙原料液から植物繊維片を集積させ厚薄の積重層を生じさせることにより、図柄を形成する和紙造形法において、
底部に簀を備える漉き舟内に、別途漉かれた直後のシート状の湿潤和紙を平坦なままの状態で収め、該湿潤和紙シートの上もしくは上方に造形図柄を模したテンプレートを配置し、
前記漉き舟を収容した漉槽に水スプレーを散布して、テンプレートの造形図柄外領域を開孔または拡孔もしくは薄層化させることを特徴とする和紙による図柄造形法。
【請求項２】
前記造形和紙を乾燥させた後、造形和紙図柄の略輪郭部位を水抱筆により水潤状態とし、該水潤状態部位を引き裂き、造形和紙図柄を取り出すことを特徴とする請求項１に記載された和紙による図柄造形法。
【請求項３】
請求項１または請求項２の図柄造形法によって製作された和紙製装飾用造形マット。
【発明の詳細な説明】
【技術分野】
【０００１】
本発明は和紙漉きによる図柄造形法、およびその図柄造形法によって製作された和紙製装飾用造形マットに係り、詳しくは、手すき和紙による原料のみもしくは加飾材料を混入させるなどした和紙原料液から紙漉き工芸品を生み出す新規な手漉き和紙図柄造形法ならびに該図柄造形法によって製作された和紙製装飾用造形マットに関するものである。
【背景技術】
【０００２】
手すき和紙は、楮  椏  雁皮等の植物繊維片を混入させトロロアオイ属の植物から採取される粘液のネリを加えるなどした和紙原料液を漉槽から竹簀の上に汲み撒き、水が竹簀から漏れにくくなると時間をかけてゆっくり動かして繊維同士を絡ませて漉きあげる。そして、漉き上げたばかりの湿紙を竹簀から剥し、これを何枚も重ねて押圧脱水処理し、一枚ずつ剥がして天日干し台に載せて乾燥することにより仕上げられる。
【０００３】
和紙は書道用半紙  画仙紙、障子紙等に使用される。昨今は、和紙の持つ柔らかさ、暖かみ、色相等の独特の風合いを利用した工芸用材料としも広い分野で使用される。その一つに、彩色、模様を施した和紙の需要が高まり、工芸用の材料として注目を集めるようになってきている。
【０００４】
例えば、和紙原料以外の繊維の加飾原料を混在させた紙料液を使用して特徴著しい風合いの現れるものを創出する努力も見られる。その例が特許文献１である特開１１−１３１３９４号公報に紹介されている。
【０００５】
いずれにしても、仕上がり品の用途は多彩であるが、漉き枠で規制された矩形などのシートである。ところで、和紙の風合いを手工芸品的に月、星、雪結晶、花など花鳥風月の世界を醸し出す文様を造形させることも行なわれている。詳しくは述べないが、竹簀に型板（テンプレート）もしくはそれに相当もしくは逆作用する謄写紙（盤）を載せ、型枠等にあけられた模様孔に和紙原料液を重畳的に撒き、必要に応じてサクションを掛けて吸水させつつ造形するというものもある。
【先行技術文献】
【特許文献】
【０００６】
【特許文献１】特開１１−１３１３９４号公報
【発明の概要】
【発明が解決しようとする課題】
【０００７】
しかし、型板にあけられた模様孔に一致した輪郭は簡単に得られるものの、模様孔内で和紙繊維層の厚薄を形成させ和紙の濃淡を生じさせるのは手漉き操作で達成するのが至難の業である。とりわけ、和紙繊維を蜘蛛の巣的に繊維の一本いっぽんが目視できるほどの超薄面状に仕立てあげることなどは不可能である。
【０００８】
なお、図柄の造形が竹簀上で達成されても雪結晶の模様のように出入りの激しい輪郭をなす場合、その造形物を竹簀から剥がし取るのは困難を極め、乾燥工程に入る前に剥がし操作中に形の破壊を招きやすい。そこで、出入りの激しい輪郭模様を破壊させないようにするためには出入りの激しい輪郭領域を出入りの緩い輪郭に置き換え、リアリティを落とすなどせざるを得ない。もちろん、図柄輪郭を機械的に切断するとすれば、図柄の和紙作品の風味が著しく損なわれることになり、却って切断装置の特殊化、高級化が余儀なくされる。
【０００９】
本発明は上記の事情に鑑みなされたもので、その目的は、和紙繊維の厚薄層化、超薄化、竹簀からの造形部の剥離容易化を実現する和紙漉きによる図柄造形法を提供することである。図柄模様が出入りの激しい輪郭をなす場合でも、その造形物を竹簀から輪郭や形を乱すことなく剥がし取ることができるようにした図柄造形法でもあることを目指す。加えて、その図柄造形法によって製作された和紙製装飾用造形マットをも提供することである。
【課題を解決するための手段】
【００１０】
上記目的を達成するために、和紙原料液から植物繊維片を集積させ厚薄の積重層を生じさせることにより図柄を形成する本発明に係る和紙造形造の特徴とするところは、図１を参照して、底部に竹簀１を備える漉き舟２内に、別途漉かれた直後のシート状の湿潤和紙３を平坦なまま収め、この湿潤和紙シートの上もしくは上方に造形図柄を模したテンプレート4を（図３を参照）配置し、漉き舟２を収容した漉槽（図示せず）に水スプレー７を散布して、テンプレート４の造形図柄外領域１１（図３を参照）を開孔または拡孔もしくは薄層化させ。また蜘蛛の巣状とさせることである。
【００１１】
図８に示すように、造形和紙を乾燥させた後、造形和紙図柄の略輪郭部位を水抱筆により水潤状態とし、その水潤状態部位を引き裂き、造形和紙図柄１２を取り出す。
【００１２】
上記いずれかの図柄造形法によって製作された和紙製装飾用造形マットとしておく。
【発明の効果】
【００１３】
底部に簀を備える漉き舟内に、別途漉かれた直後のシート状の湿潤和紙を平坦なままの状態で収めるようにしているので、湿潤和紙を作った漉き舟のサイズをカバーし得る大きさの造形用漉き舟なら如何なるサイズの湿潤和紙に対しても図柄造形することができ、造形品の大型化も可能となる。
【００１４】
テンプレートを湿潤和紙シートの上もしくは上方に配置するようにしているので、テンプレート支持スペーサの高さを変えるなどして、和紙繊維の集積層厚みを造形品ごとに違えることができ、風合いの異なる作品を生み出し、個人こじんの好みに合わせやすくすることができる。
【００１５】
漉き舟を収容した漉槽に水スプレーを散布するので、テンプレートの造形図柄直下領域を湿潤和紙状態に保ち、テンプレートの造形図柄外領域は水スプレーの散布打撃を受ける。それによって、テンプレートの造形図柄外領域を、開孔または拡孔もしくは薄層化させることができるようになる。
【００１６】
造形和紙を乾燥させた後、造形和紙図柄の略輪郭部位を水抱筆により水潤状態とし、その水潤状態部位を引き裂くことができる。したがって、和紙独特の風味ある造形和紙図柄を容易に取り出すことができる。
【００１７】
本発明の図柄造形法によって製作された和紙製装飾用造形マットは、部屋の装飾やわび・さびの世界の醸し出しに大きく貢献させることができる。すなわち、有端短繊維片を使用しながらも面状に仕立てることができ、シート状もしくは薄マット状でありながらラベル、シール、ステッカー、マーキングやデカール薄膜物に和紙造形美を一段と引き立たせ、デザイン向上の多様化が図られる。
【図面の簡単な説明】
【００１８】
【図１】本発明に係る和紙漉きによる図柄造形法を実行する主たる工程である「水スプレーの散布」状態を示す模式図。
【図２】本図柄造形法の「水スプレーの散布」直前の上下方向を誇張して示した縦断面図。
【図３】本図柄造形法で使用されるテンプレート（型板）の一例の平面図。
【図４】水スプレーの散布を終え、テンプレートを除去した状態の模式図。
【図５】上下逆にした状態の模式図。
【図６】上になった竹簀を除去した模式図。
【図７】竹簀上に当初敷いていた紗をめくり、乾燥に入る直前の模式図。
【図８】乾燥後の造形図柄および造形和紙図柄の略輪郭部位を示す平面図。
【図９】造形和紙図柄の略輪郭部位を水抱筆により水潤状態とされた略輪郭部位後を引き裂き、取り出された造形和紙図柄の平面図。
【発明を実施するための形態】
【００１９】
以下に、本発明に係る和紙漉きによる図柄造形法および該図柄造形法によって製作された和紙製装飾用造形マットを、その実施の形態を表した図面に基づいて詳細に説明する。この発明は、和紙繊維の厚薄層化、竹簀からの造形部の剥離容易化を実現した和紙漉きによる図柄造形法を提供する。これは、図柄模様が出入りの激しい輪郭をなす場合でも、その造形物を竹簀から輪郭やかたち造形を乱すことなく剥がし取ることができるようにした図柄造形法でもある。なお、その造形工程において使用する湿潤和紙（湿紙）は、現今まで行なわれている伝統的な如何なる和紙漉き法によって得られるものであればよいが、特別な工夫を施した漉き法によって得られるものであっても差し支えない。いずれにしても、乾燥工程前の湿潤状態にある湿紙であればよい。
【００２０】
以下に、和紙原料液から植物繊維片を集積させ厚薄の積重層を生じさせることにより、図柄を形成する和紙造形法がとる工程について図面に基づいて順次述べる。まず、
図１に示すように。底部に竹簀１を備える漉き舟２内に、別途漉かれた直後のシート状の湿潤和紙３（湿紙）を平坦な状態のまま収める。この湿潤和紙シート３の上もしくは上方に造形図柄を模したテンプレート４（図３を参照）を適宜のスペーサ６によって支えるように配置する。なお、竹簀１は、竹籤からなる桁状にしたものであるが、竹材に限らず簀を形成できるものであれば十分である。テンプレート４は面剛性のある薄平板に所望図柄を切り抜いて表されたものである。図示は鮎の例で、その輪郭と３つの胸ひれ５が表されている。
【００２１】
次に、漉き舟２を図示しない漉槽（排水可能流し槽）に収容し、図１のように水スプレー７を漉槽に散布して、テンプレート４の造形図柄外領域１１を後述する図８のように開孔または拡孔もしくは超薄層化させる。水スプレー７の水滴の勢いによって開孔させ紙原料液から植物繊維片８を散らし、散らされた大半の植物繊維片８を集積させ厚薄の積重層を生じさせる。すなわち、散らされた湿紙３は薄層化し、水スプレー７により排除された植物繊維片８をテンプレート４の鮎の図柄縁部領域（テンプレート４の図柄と穴の空いた造形図柄外領域１１との境目）へ図１や８のように移行させる。鮎の周囲の領域１１と胸ひれ５の領域は液滴の通過面となる。ちなみに、スプレー７は純粋な水でよいが、和紙繊維を溶解させたり、消失させるものでなければよい。それゆえ、液勢を上げるための例えば微細なビーズといったものを混入させたものもしくはビーズ群流としてもよい。  
【００２２】
水スプレー７は、植物繊維片８を混入させていないことを基本とするが、水スプレー７の散布中流量の多少が調節されるなどすることもある。また、水スプレー７は、 図示しないスプレーノズルの高さ位置変更などにより、散布中の流落の強弱が調節されることも必要に応じて行なわれる。もちろん、水スプレー７は、全面散布中、局部散布も重畳的に間歇的になされることもある。
【００２３】
湿潤和紙シート３は、竹簀１の上面に広げる関係で、紗１０のシートが竹簀１の上面に敷かれる。この紗１０は是非必要というものではないが、造形品を剥がすときなどの利便性を上げておくことができる。
【００２４】
このように底部に竹簀１を備える漉き舟２内に、別途漉かれた直後のシート状の湿潤和紙３を平坦なまま収めるようにしているので、湿潤和紙３を作った漉き舟の枠サイズを越える大きさの造形用漉き舟２を使用する限り、如何なるサイズの湿潤和紙３に対しても図柄造形することができ、したがって、造形品１２の大形化も可能となる。
【００２５】
上記したように、漉き舟２を収容した漉し槽に水スプレー７を散布して、テンプレート４の造形図柄外領域１１を開孔または拡孔もしくは薄層化させるが、その後に、図４のように、テンプレートおよびスペーサを除去する。そして、造形品１２、紗１０、竹簀１が重なった状態で、紙床板（図示せず）上に図５のように、裏返して置く。図６のように、上になった竹簀１を取り除き。紗がある場合は図７のように、紗１０をめくりとり、紙床板（図示せず）上の造形品を天日で自然乾燥する。乾燥した造形品１２は、図８のように、漉き舟２の枠に一致した矩形品となる。
【００２６】
その後、図８に示す造形図柄１２の略輪郭部位を表す線１３に沿って水抱筆（図示せず）により水潤状態とする。この水潤状態部位を引き裂き、図９のように造形和紙図柄１２を取り出せばよい。厚層の輪郭は和紙特有のぼかしを施したかのように芸術性が高まる。胸ひれ５は極めて薄層となり、その周囲の魚体部は湿潤和紙３（湿紙）のまま残る。
【００２７】
造形和紙１２を乾燥させた後、造形和紙図柄の略輪郭部位を水抱筆により水潤状態とし、その水潤状態部位を引き裂くことができるので、造形和紙図柄１２を容易に取り出すことができる。以上述べたように、この図柄造形法によって種々の和紙製装飾用造形マットを製作することができる。和紙繊維を蜘蛛の巣的に繊維の一本いっぽんが目視できるほどの超薄面状に仕立てあげることができる。
【００２８】
本発明によれば、テンプレート４を湿潤和紙３シートの上もしくは上方に配置するようにしているので、テンプレート４の支持スペーサ６の高さを変えるなどして、和紙繊維の集積層厚みを造形品ごとに違えることができ、風合いの異なる作品を生み出し、個人こじんの好みに合わせやすくすることもできる。
【００２９】
漉き舟２を収容した漉槽に水スプレー７を散布するので、テンプレート４の造形図柄下領域を湿潤和紙状態に保ち、テンプレート４の造形図柄外領域１１は水スプレー７の散布打撃を受ける。それによって、テンプレート４の造形図柄外領域１１を開孔または拡孔もしくは薄層化させることができるようになる。
【００３０】
本発明の図柄造形法によって製作された和紙製装飾用造形マットは、部屋の装飾やわび・さびの世界の醸し出しに大きく貢献させることができる。すなわち、有端短繊維を使用しながらも面状に仕立てることができ、シート状もしくは薄マット状でありながらラベル、シール、ステッカー、マーキングやデカールといった薄膜物の和紙造形美を一段と引き立たせ、デザインの向上の多様化が図られる。
【符号の説明】
【００３１】
１：竹簀（簀）、２：漉き舟、３：湿潤和紙(湿紙、湿紙和紙シート)、４：テンプレート、７：水スプレー、８：植物繊維片、１１：造形図柄外領域、１２：造形品（造形和紙、造形図柄和紙）、１３：線
【図１】
2019214810.tif 000003
【図２】
2019214810.tif 000004
【図３】
2019214810.tif 000005
【図４】
2019214810.tif 000006
【図５】
2019214810.tif 000007
【図６】
2019214810.tif 000008
【図７】
2019214810.tif 000009
【図８】
2019214810.tif 000010
【図９】
2019214810.tif 000011